【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
コンピューターにより実施する方法であって、
コンピューティング・デバイスが、あるウェブページに表示される第１のハイパーリンク及び第２のハイパーリンクを識別するステップであって、前記第１のハイパーリンクは第１のターゲット・ウェブページと関連し、前記第２のハイパーリンクは第２のターゲット・ウェブページと関連する、ステップと、
前記コンピューティング・デバイスが、前記あるウェブページへ適用される第１のスタイルを、前記第１のターゲット・ウェブページをホストするドメインに関する情報に少なくとも部分的に基づいて決定し、前記あるウェブページへ適用される第２のスタイルを、前記第２のターゲット・ウェブページをホストするドメインに関する情報に少なくとも部分的に基づいて決定するステップと、
前記コンピューティング・デバイスが、前記第１のスタイル及び前記第２のスタイルを前記あるウェブページに、関連するブラウザーが前記第１のターゲット・ウェブページまたは第２のターゲット・ウェブページへナビゲーションすることなく、視覚的に適用するステップであって、前記第１のスタイル及び前記第２のスタイルは、異なるそれぞれのスタイルを含む、ステップと
を含むコンピューターにより実施する方法。
【請求項２】
請求項１に記載のコンピューターにより実施する方法であって、前記第１のスタイル及び前記第２のスタイルのうちの少なくとも１つのスタイルは、それぞれの前記ハイパーリンクをたどることが可能なそれぞれの前記ウェブページ内のアンカーの色、マウス・インジケーター、またはバックグラウンドの色を更に含む、コンピューターにより実施する方法。
【請求項３】
請求項１に記載のコンピューターにより実施する方法であって、決定する前記ステップは、ルックアップ・テーブルを用いて、適用される少なくとも１つのスタイルを決定するステップを含む、コンピューターにより実施する方法。
【請求項４】
請求項１に記載のコンピューターにより実施する方法であって、決定する前記ステップは、前記あるウェブページに対応するページ・スクリプトからスタイル情報を抽出するステップを含む、コンピューターにより実施する方法。
【請求項５】
請求項１に記載のコンピューターにより実施する方法であって、前記第１のターゲット・ウェブページ及び前記第２のターゲット・ウェブページのうちの少なくとも１つのターゲット・ウェブページを、それぞれの前記ターゲット・ウェブページに関する情報を前記あるウェブページに対応するページ・スクリプトから抽出することにより、確かめるステップを更に含むコンピューターにより実施する方法。
【請求項６】
請求項１に記載のコンピューターにより実施する方法であって、前記第１のハイパーリンク及び前記第２のハイパーリンクのうちの少なくとも１つのハイパーリンクはダイナミック・ハイパーリンクを含む、コンピューターにより実施する方法。
【請求項７】
請求項６に記載のコンピューターにより実施する方法であって、前記第１のハイパーリンク及び前記第２のハイパーリンクのうちの少なくとも１つのハイパーリンクのそれぞれの前記ターゲット・ウェブページに関する情報をサーバーから受けるステップを更に含むコンピューターにより実施する方法。
【請求項８】
請求項１に記載のコンピューターにより実施する方法であって、決定する前記ステップは、それぞれの前記ターゲット・ウェブページと関連する情報に少なくとも部分的に更に基づく、コンピューターにより実施する方法。
【請求項９】
ウェブ・ブラウザーのプログラムを記憶する１以上のコンピューター可読ハードウェアストレージ・メモリであって、前記プログラムはコンピューターにオペレーションを実行させ、前記オペレーションは、
あるウェブページに表示される第１のハイパーリンク及び第２のハイパーリンクを識別するステップであって、前記第１のハイパーリンク及び前記第２のハイパーリンクは、それぞれのターゲット・ウェブページと関連する、ステップと、
前記あるウェブページへ適用される第１のスタイル及び第２のスタイルを、それぞれの前記ターゲット・ウェブページをホストするドメインに関する情報に少なくとも部分的に基づいて決定するステップであって、前記第１のスタイル及び前記第２のスタイルは互いに異なる、ステップと、
前記第１のスタイル及び前記第２のスタイルを前記あるウェブページに、前記ブラウザーが関連するターゲット・ウェブページへナビゲーションすることなく、視覚的に適用するステップと
を含む、１以上のコンピューター可読ハードウェアストレージ・メモリ。
【請求項１０】
請求項９に記載の１以上のコンピューター可読ハードウェアストレージ・メモリであって、前記第１のスタイル及び前記第２のスタイルのうちの少なくとも１つのスタイルは、関連するハイパーリンクをたどることが可能なあるウェブページ内のアンカーの色、またはバックグラウンドの色を含む、１以上のコンピューター可読ハードウェアストレージ・メモリ。
【請求項１１】
請求項９に記載の１以上のコンピューター可読ハードウェアストレージ・メモリであって、決定する前記ステップは、ルックアップ・テーブルを用いて、適用される前記第１のスタイル及び前記第２のスタイルのうちの少なくとも１つのスタイルを決定するステップを含む、１以上のコンピューター可読ハードウェアストレージ・メモリ。
【請求項１２】
請求項９に記載の１以上のコンピューター可読ハードウェアストレージ・メモリであって、決定する前記ステップは、前記あるウェブページに対応するページ・スクリプトからスタイル情報を抽出するステップを含む、１以上のコンピューター可読ハードウェアストレージ・メモリ。
【請求項１３】
請求項９に記載の１以上のコンピューター可読ハードウェアストレージ・メモリであって、前記オペレーションは、ターゲット・ウェブページを、該ターゲット・ウェブページに関する情報を前記あるウェブページに対応するページ・スクリプトから抽出することにより、確かめるステップを更に含む、１以上のコンピューター可読ハードウェアストレージ・メモリ。
【請求項１４】
請求項９に記載の１以上のコンピューター可読ハードウェアストレージ・メモリであって、前記第１のハイパーリンク及び前記第２のハイパーリンクのうちの少なくとも１つのハイパーリンクはダイナミック・ハイパーリンクを含む、１以上のコンピューター可読ハードウェアストレージ・メモリ。
【請求項１５】
請求項１４に記載の１以上のコンピューター可読ハードウェアストレージ・メモリであって、前記オペレーションは、関連するハイパーリンクのターゲット・ウェブページに関する情報をサーバーから受けるステップを更に含む、１以上のコンピューター可読ハードウェアストレージ・メモリ。
【請求項１６】
請求項９に記載の１以上のコンピューター可読ハードウェアストレージ・メモリであって、視覚的に適用する前記ステップは、前記あるウェブページ内のテキスト・アンカーに色を適用するステップを含む、１以上のコンピューター可読ハードウェアストレージ・メモリ。
【請求項１７】
請求項９に記載の１以上のコンピューター可読ハードウェアストレージ・メモリであって、視覚的に適用する前記ステップは、バックグラウンドの色を前記ハイパーリンクの後ろの前記あるウェブページに適用するステップを含む、１以上のコンピューター可読ハードウェアストレージ・メモリ。
【請求項１８】
請求項９に記載の１以上のコンピューター可読ハードウェアストレージ・メモリであって、視覚的に適用する前記ステップは、マウス・インジケーターを変えるステップを含む、１以上のコンピューター可読ハードウェアストレージ・メモリ。
【請求項１９】
請求項９に記載の１以上のコンピューター可読ハードウェアストレージ・メモリであって、決定する前記ステップは、それぞれの前記ターゲット・ウェブページと関連する情報に少なくとも部分的に更に基づく、１以上のコンピューター可読ハードウェアストレージ・メモリ。
【請求項２０】
システムであって、
１以上のプロセッサーと、
コンピューター可読命令を記憶した１以上のコンピューター読取可能ストレージ・メモリと
を含み、前記コンピューター可読命令は、前記１以上のプロセッサーにより実行されると、前記システムにある方法を実施させ、該方法は、
あるウェブページに表示される第１のハイパーリンク及び第２のハイパーリンクを識別するステップであって、前記第１のハイパーリンクは第１のターゲット・ウェブページと関連し、前記第２のハイパーリンクは第２のターゲット・ウェブページと関連する、ステップと、
前記あるウェブページへ適用される第１のスタイルを、前記第１のターゲット・ウェブページをホストするドメインに関する情報に少なくとも部分的に基づいて決定し、前記あるウェブページへ適用される第２のスタイルを、前記第２のターゲット・ウェブページをホストするドメインに関する情報に少なくとも部分的に基づいて決定するステップと、
前記第１のスタイル及び前記第２のスタイルを前記あるウェブページに、関連するブラウザーが前記第１のターゲット・ウェブページまたは第２のターゲット・ウェブページへナビゲーションすることなく、視覚的に適用するステップであって、前記第１のスタイル及び前記第２のスタイルは、異なるそれぞれのスタイルを含む、ステップと
を含む、システム。
【請求項２１】
請求項２０に記載のシステムであって、前記第１のスタイル及び前記第２のスタイルのうちの少なくとも１つのスタイルは、それぞれの前記ハイパーリンクをたどることが可能なそれぞれの前記ウェブページ内のアンカーの色、マウス・インジケーター、またはバックグラウンドの色を更に含む、システム。
【請求項２２】
請求項２０に記載のシステムであって、決定する前記ステップは、ルックアップ・テーブルを用いて、前記第１のスタイル及び前記第２のスタイルのうちの適用される少なくとも１つのスタイルを決定するステップを含む、システム。
【請求項２３】
請求項２０に記載のシステムであって、決定する前記ステップは、前記あるウェブページに対応するページ・スクリプトからスタイル情報を抽出するステップを含む、システム。
【請求項２４】
請求項２０に記載のシステムであって、前記方法は、前記第１のターゲット・ウェブページ及び前記第２のターゲット・ウェブページのうちの少なくとも１つのターゲット・ウェブページを、それぞれの前記ターゲット・ウェブページに関する情報を前記あるウェブページに対応するページ・スクリプトから抽出することにより、確かめるステップを更に含む、システム。
【請求項２５】
請求項２０に記載のシステムであって、前記第１のハイパーリンク及び前記第２のハイパーリンクのうちの少なくとも１つのハイパーリンクはダイナミック・ハイパーリンクを含む、システム。
【請求項２６】
請求項２５に記載のシステムであって、前記方法は、前記第１のハイパーリンク及び前記第２のハイパーリンクのうちの少なくとも１つのハイパーリンクのそれぞれの前記ターゲット・ウェブページに関する情報をサーバーから受けるステップを更に含む、システム。
【請求項２７】
コンピューティング・デバイスが、あるウェブページ上の第１のハイパーリンクに対して行われた第１のユーザー・アクションを確かめるステップと、
コンピューティング・デバイスが、前記第１のユーザー・アクションと、第１のターゲット・ウェブページをホストするドメインに関する情報とに少なくとも部分的に基づいて、前記あるウェブページへ適用される第１のスタイルを決定するステップと、
コンピューティング・デバイスが、前記第１のスタイルを前記あるウェブページへ視覚的に適用するステップと、
コンピューティング・デバイスが、あるウェブページ上の第２のハイパーリンクに対して行われた第２のユーザー・アクションを確かめるステップと、
コンピューティング・デバイスが、前記第２のユーザー・アクションと、第２のターゲット・ウェブページをホストするドメインに関する情報とに少なくとも部分的に基づいて、前記あるウェブページへ適用される第２のスタイルを決定するステップと、
コンピューティング・デバイスが、前記第２のスタイルを前記あるウェブページへ視覚的に適用するステップと
を含み、前記第１のスタイル及び前記第２のスタイルは、異なるそれぞれのスタイルを含む、方法。
【請求項２８】
請求項２７に記載の方法であって、前記第１のユーザー・アクションに基づいて決定する前記ステップと、前記第２のユーザー・アクションに基づいて決定する前記ステップとのうちの少なくとも１つのステップは、それぞれの前記ターゲット・ウェブページと関連する情報に少なくとも部分的に更に基づき、それぞれの前記ターゲット・ウェブページと関連する前記情報は、該ターゲット・ウェブページ自身を含まない、方法。
【請求項２９】
請求項２７に記載の方法であって、前記第１のハイパーリンク及び前記第２のハイパーリンクのうちの少なくとも１つのハイパーリンクはダイナミック・ハイパーリンクを含む、方法。
【請求項３０】
請求項９から１９の何れか一項に記載のプログラム。